(57)【要約】【課題】  対象物を多方向から撮影したシールを作成し、さらに装置のサイズを小さく抑えたシール作成装置を実現する。【解決手段】  ターンテーブル１９は、載置された対象物ＯＢＪを回転可能に支持する。撮影部１１ａ、１１ｂは、ミラー１６に映し出された対象物ＯＢＪの像を撮影する。ターンテーブル１９が所定の角度ずつ回転することにより、対象物ＯＢＪの多方向からの像が撮影される。制御ボックス１２は、撮影された画像を加工し、印刷部１３はそれをシール上に印刷する。撮影部１１ａと１１ｂとが所定の視差を含む画像を取得するため、シール上に印刷された印刷画像はレンチキュラーレンズを通して見ると立体的に見える。また、対象物ＯＢＪを多方向から撮影するため、完成したシールをつなぎ合わせると、逆パノラマ状のシールが形成される。【選択図】  図１
2005055693.tif 000002
【特許請求の範囲】
【請求項１】
載置された対象物を、回転自在に支持する支持部と、
前記支持部を回転駆動する回転駆動部と、
前記対象物の反射像を映し出す鏡面と、
前記鏡面に映し出された前記対象物の反射像を撮影し、画像を取得する画像取得部と、
前記回転駆動部を制御して前記支持部を所定の回転角度ずつ順次回転させながら、前記画像取得部を制御して前記対象物の前記鏡面に映し出された反射像を順次撮影させる制御部と、
前記画像取得部により取得された画像を印刷してシールを作成する印刷部と、
を備えることを特徴とするシール作成装置。
【請求項２】
前記画像取得部は、前記支持部および前記回転駆動部のほぼ真上に、前記鏡面に向けて複数配置されている、
ことを特徴とする請求項１に記載のシール作成装置。
【請求項３】
前記複数の画像取得部により取得された画像は、表面に複数の円柱状のレンズが配置されたレンチキュラーレンズを通して見ると立体的に見える画像である、
ことを特徴とする請求項２に記載のシール作成装置。
【請求項４】
前記画像取得部により取得された画像を、画像データとして所定のサーバに送信する通信部をさらに備える、
ことを特徴とする請求項１、２又は３に記載のシール作成装置。
【請求項５】
前記サーバは、前記画像データを加工して、前記所定の回転角度ずつの画像を連続させたパノラマ画像を作成する、
ことを特徴とする請求項４に記載のシール作成装置。
【発明の詳細な説明】
【技術分野】
【０００１】
本発明は、対象物を撮影して、その画像をシールに印刷するシール作成装置に関する。
【背景技術】
【０００２】
人物等の対象物を撮影し、撮影結果をプリントシートに印刷して出力するアミューズメント装置が実用化され、人気を博している（例えば、特許文献１）。このプリントシートには、裏面に接着性を有する複数のシール紙が剥離可能に貼着されており、それぞれのシール紙は携帯電話等の持ち物に貼付されて利用される。
【特許文献１】実登３０３４０１２号公報
【発明の開示】
【発明が解決しようとする課題】
【０００３】
しかし、従来のシール作成装置は、人物等の対象物の平面的な静止画をシールにできるにすぎず、面白味に欠けるという問題があった。
【０００４】
また、対象物の像を動画や立体画で表現できれば、より楽しく趣味性の高いシールが得られる。しかし、動画を作成するための操作が複雑になると、作成意欲が減退し、需要が低下してしまう。また、装置の構成が複雑になると、装置およびシールの価格が上昇してしまう。
【０００５】
本発明は、上記実状に鑑みてなされたものであり、面白味のあるシールを作成することができるシール作成装置を実現することを目的とする。
【課題を解決するための手段】
【０００６】
上記目的を達成するため、本発明の第１の観点に係るシール作成装置は、
載置された対象物を、回転自在に支持する支持部と、
前記支持部を回転駆動する回転駆動部と、
前記対象物の反射像を映し出す鏡面と、
前記鏡面に映し出された前記対象物の反射像を撮影し、画像を取得する画像取得部と、
前記回転駆動部を制御して前記支持部を所定の回転角度ずつ順次回転させながら、前記画像取得部を制御して前記対象物の前記鏡面に映し出された反射像を順次撮影させる制御部と、
前記画像取得部により取得された画像を印刷してシールを作成する印刷部と、
を備えることを特徴とする。
【０００７】
この構成によれば、対象物を複数の角度から撮影した画像が印刷されたシールを得ることが可能となる。また、鏡面に映った対象物の像を撮影することにより、対象物を撮影するよりも短い距離での撮影が可能となり、シール作成装置の大きさを抑えることができる。
【０００８】
前記画像取得部は、前記支持部および前記回転駆動部のほぼ真上に、前記鏡面に向けて複数配置されているものであってもよい。
【０００９】
この構成によれば、複数の画像取得部によって、異なる視差データを持った画像を得ることが可能となる。
【００１０】
前記複数の画像取得部により取得された画像は、表面に複数の円柱状のレンズが配置されたレンチキュラーレンズを通して見ると立体的に見える画像であってもよい。
【００１１】
この構成によれば、立体的で、深みのあるシールを作成することが可能となる。
【００１２】
前記画像取得部により取得された画像を、画像データとして所定のサーバに送信する通信部をさらに備えるものであってもよい。
【００１３】
この構成によれば、取得した画像を、シールのみでなくネットワーク上で閲覧することが可能となる。
【００１４】
前記サーバは、前記画像データを加工して、前記所定の回転角度ずつの画像を連続させたパノラマ画像を作成するものであってもよい。
【００１５】
この構成によれば、普段は自分で見られないような自分自身の画像を、簡単に見ることが可能となる。
【発明の効果】
【００１６】
上記構成のシール作成機によれば、面白味があり、趣味性の高いシールを作成することが可能となる。
【発明を実施するための最良の形態】
【００１７】
（第１の実施の形態）
本発明の実施の形態に係るシール作成装置１は、図１に示すように、筐体Ｋと、撮影部１１ａおよび１１ｂと、制御ボックス１２と、印刷部１３と、排出部１４と、入力部１５と、ミラー１６と、表示器１７と、ステージ１８と、ターンテーブル１９とを備える。
【００１８】
撮影部１１ａおよび１１ｂは、図示せぬ撮影レンズやカラー撮影素子等から構成される。撮影レンズは、被写体からの光を集光し、カラー撮影素子上に被写体の像を結像する。カラー撮影素子は、Ｙ（イエロー）、Ｍ（マジェンタ）、Ｃ（シアン）のフィルタを備えたＣＣＤ等から構成され、被写体の像を撮影して、Ｙ、Ｍ、Ｃの各色成分の画像データを出力する。尚、撮影部（１１ａ、１１ｂ）が複数配置されているのは、それぞれ異なる視差データを有する画像データを取得し、立体的に見える画像を作成するためであり、詳細な説明は後述する。撮影部１１ａと１１ｂとは、約５ｃｍ（通常の人間の右目と左目の間の距離）だけ離れて、ミラー１６に向けて配置されており、ミラー１６に映し出された撮影対象となる対象物ＯＢＪ（以下、対象物ＯＢＪ）の像を被写体として同時に撮影し、それぞれ所定の視差角を有する画像データ、ＹａとＹｂ、ＭａとＭｂ、ＣａとＣｂを取得して、制御ボックス１２に供給する。
【００１９】
制御ボックス１２は、図２に示すように、制御部２１と、画像メモリ２２と、フレームメモリ２３とから構成されている。
【００２０】
制御部２１は、ＭＰＵ（マイクロプロセッサユニット）、ＤＳＰ（ディジタルシグナルプロセッサ）等の処理部と、タイマ回路とを備える。制御部２１は、通常時は、表示器１７を制御して、デモンストレーション用の画面を表示させる。そして、入力部１５から供給される始動制御信号に応答して、シール作成のための制御動作を開始し、各部を制御して、レンチキュラーレンズを通して見ると、立体的に見える画像の印刷されたシールを作成させる。制御部２１が実行する制御動作の詳細については、後述する。
【００２１】
画像メモリ２２は、シールに印刷される画像の、Ｙ、Ｍ、Ｃの各色成分のデータを格納すると共に制御部２１の作業領域として機能する。フレームメモリ２３は、図３（ａ）に示すシート３１の１枚分の画像のＹ、Ｍ、Ｃの各色の画像データを記憶する。
【００２２】
シート３１には、図３（ａ）に示すように、その表面上に複数のシール片３２がマトリクス状に配置されている。シール片３２は、シート３１に対して剥離可能に貼着されており、その表面にＹ、Ｍ、Ｃの各色成分が印刷可能なように形成されている。
【００２３】
シール片３２の表面には、前述したように、Ｙ、Ｍ、Ｃから構成される画像（以下、印刷画像３４）が印刷される。印刷画像３４は、図３（ｂ）に示すように、シール片３２の上にレンチキュラーレンズ３３を適切な位置に重ね合わせることにより、２つの画像（撮影部１１ａによって取得された画像と撮影部１１ｂによって取得された画像と）が視覚上で合成されて見えるように形成される。
【００２４】
レンチキュラーレンズ３３は、規則的に配置された円柱状のレンズから構成され、シール片３２とほぼ同じ大きさに形成されている。
【００２５】
印刷部１３は、熱転写型カラープリンタ、熱昇華型カラープリンタ等から構成され、図３（ａ）に示すシート３１を内蔵し、制御部２１の制御に従ってシート３１に、フレームメモリ２３に展開されたＹ、Ｍ、Ｃの各色成分の画像と保護層とを順次重ねて印刷する。印刷部１３は、さらに、複数枚のレンチキュラーレンズ３３を収納しており、印刷後のシート３１とレンチキュラーレンズ３３とを、排出部１４に供給する。
【００２６】
排出部１４は、筐体Ｋの前部下方に開口された部分に設けられており、印刷部１３にて印刷が完了したシールシート（シート３１）を排出する。また、同時にレンチキュラーレンズ３３を排出する。
【００２７】
入力部１５は、コイン受領部、決定ボタン、キャンセルボタン等を備える。コイン受領部は、コイン投入口を備え、所定額のコインが投入されると、シール作成動作の開始を指示する始動制御信号を制御ボックス１２の制御部２１に供給する。決定ボタンは、押操作により、撮影部１１ａおよび１１ｂに撮影を指示する撮影指示信号を、制御部２１に供給する。キャンセルボタンは、押操作により、キャンセルを指示するキャンセル指示信号を制御部２１に供給する。
【００２８】
ミラー１６は、ハーフミラー等から構成されており、対象物ＯＢＪの像を映し出して、撮影対象（被写体）を撮影部１１ａおよび撮影部１１ｂに供給する。また、ミラー１６の上方には表示器１７が設けられ、表示器１７によって映し出された画像がミラー１６によって角度を変えられて、ユーザ（対象物ＯＢＪ）の目に達するように構成されている。
【００２９】
表示器１７は、ＣＲＴ、液晶表示素子等から構成され、制御ボックス１２の制御部２１の制御に従って、デモンストレーション画面や、撮影部１１ａおよび１１ｂが撮影した被写体の画像等を表示する。尚、前述したように、表示された画像はミラー１６によって角度を変えられて、ユーザ（対象物ＯＢＪ）の目に達するように構成されている。
【００３０】
ステージ１８は、ターンテーブル１９を回転自在に支持する。尚、ステージ１８内部には、ターンテーブル１９を回転駆動させるための図示せぬモータ等が配置されている。
【００３１】
ターンテーブル１９は、載置される対象物ＯＢＪを回転自在に支持する。尚、ターンテーブル１９は、制御ボックス１２内の制御部２１により上述のモータ等が駆動され、回転制御される。
【００３２】
次に、上記構成を有するシール作成装置１の動作を、図面を参照して説明する。
【００３３】
シール作成装置１の電源が投入されると、制御部２１は、表示器１７に、シールの作成方法、所定額のコインを投入すべきこと等のメッセージを含むデモンストレーション画面を繰り返して表示させる。ユーザは、このメッセージに従って、入力部１５のコイン投入口に所定額のコインを投入する。コイン受領部は、所定額のコインが投入されたことを判別し、始動制御信号を制御部２１に供給する。この始動制御信号に応答して、制御部２１は、図４のフローチャートに示すシール作成動作を開始する。
【００３４】
まず、制御部２１は、撮影部１１ａおよび１１ｂを制御して被写体の像を所定回数撮影し、画像データを画像メモリ２２に格納する（ステップＳ１）。
【００３５】
この撮影動作を、図５および図６を参照して説明する。まず、制御部２１は、撮影部１１ａおよび撮影部１１ｂを起動する（ステップＳ１０１）。撮影部１１ａおよび撮影部１１ｂが起動されると、制御部２１は、変数ｎに０をセットする（ステップＳ１０２）。尚、変数ｎは、撮影回数をカウントするために使用される。
【００３６】
制御部２１は、撮影部１１ａおよび１１ｂを制御して、被写体を撮影させる（ステップＳ１０３）。ここで被写体とは、前述したとおり、ミラー１６に映し出された対象物ＯＢＪの像である。撮影部１１ａおよび撮影部１１ｂは、撮影によって取得した画像データを画像メモリ２２に供給する。
【００３７】
制御部２１は、変数ｎに１を加算し（ステップＳ１０４）、加算後の変数ｎの値が１２であるか否かを判別する（ステップＳ１０５）。つまり、１２回の撮影が終了したか否かを判別する。
【００３８】
制御部２１は、変数ｎが１２でない（まだ１２に達していない）と判別すると（ステップＳ１０５：Ｎｏ）、ターンテーブル１９を３０度だけ回動させる（ステップＳ１０６）。つまり、制御部２１は、１２回の撮影で、対象物ＯＢＪを均等な１２方向から撮影するために、ターンテーブル１９を３０度ずつ一定方向に回転させる。
【００３９】
ターンテーブル１９が３０度回動して止まると、制御部２１は、ステップＳ１０３に処理を戻し、上述のステップＳ１０３〜Ｓ１０５の処理を繰り返し実行する。つまり、制御部２１は、ターンテーブル１９を３０度ずつ回動させながら、撮影部１１ａおよび１１ｂを制御して、向きを変えた対象物ＯＢＪの、ミラー１６に映し出された像を順次撮影させる。
そして、上述のステップＳ１０５にて、変数ｎが１２であると判別した場合、つまり撮影回数が１２回に達した場合に（ステップＳ１０５：Ｙｅｓ）、制御部２１は、撮影部１１ａおよび１１ｂを制御し、撮影を終了させる。以上の動作により、図６に示すように、ターンテーブル１９と共に回転する対象物ＯＢＪの、様々な角度からの画像データが取得される。
【００４０】
このようにして、１２回の撮影が終了すると、画像メモリ２２には、撮影部１１ａの１回目、２回目、・・・、１２回目の撮影により得られた被写体のＹ、Ｍ、Ｃ成分の画像データであるＹａｋ、Ｍａｋ、Ｃａｋ（ｋ＝１〜１２）と、撮影部１１ｂの１回目、２回目、・・・、１２回目の撮影により得られた被写体のＹ、Ｍ、Ｃ成分の画像データであるＹｂｋ、Ｍｂｋ、Ｃｂｋ（ｋ＝１〜１２）とがそれぞれ格納される。
【００４１】
１２回の撮影が終了すると、フローは図４のステップＳ２の画像作成処理に進む。画像は、撮影部１１ａと１１ｂとでそれぞれ取得された原画像ＧａとＧｂとを図７（ａ）に示すようにストライプ状に切り出して、規則的に配列することにより形成される。その際、図７（ｂ）に示すように、レンチキュラーレンズ３３を介して右目Ｒに見える位置には、右側に配置した撮影部１１ａにより取得された原画像Ｇａから切り出したストライプ画像Ｒ１、Ｒ２、・・・を配置し、左目Ｌに見える位置には左側に配置した撮影部１１ｂにより取得された原画像Ｇｂから切り出したストライプ画像Ｌ１、Ｌ２、・・・を配置することにより、画像を形成する。
【００４２】
この画像作成処理の動作を、図８を参照して説明する。まず、制御部２１は、画像メモリ２２に格納された画像データが、何回目の撮影で取得された画像であるかを示すポインタｋに１をセットする（ステップＳ２０１）。次に、制御部２１は、Ｙ色成分の画像を作成するため、元の画像Ｙ１から切り出すストライプの番号を表すポインタｉに初期値１をセットする（ステップＳ２０２）。
【００４３】
制御部２１は、画像メモリ２２に格納された画像データＹａｋとＹｂｋとから、第ｉ番目のストライプ状画像ＹａｋｉとＹｂｋｉとを切り出す（ステップＳ２０３）。このストライプ状画像ＹａｋｉとＹｂｋｉとは、画像データＹｋをそれぞれＮ分割する画像であり、Ｎは切り出し回数に相当する。
【００４４】
制御部２１は、切り出したストライプ状画像Ｙａｋｉを、画像メモリ２２上の画像作成領域（画像Ｙｋ’の作成領域）に書き込む（展開する）。同様に、切り出したストライプ状画像Ｙｂｋｉを、画像メモリ２２上の画像作成領域（画像Ｙｋ’の作成領域）に書き込む（ステップＳ２０４）。
【００４５】
次に、制御部２１は、ポインタｉの値が、予め定められたストライプ状画像Ｙａｋｉ（およびＹｂｋｉ）の切り出し回数Ｎと等しいか否かを判別する（ステップＳ２０５）。Ｎと等しくない（まだＮに達していない）と判断された場合（ステップＳ２０５：Ｎｏ）、ポインタｉに１を加え（ステップＳ２０６）、ステップＳ２０３にリターンし、画像ＹａｋおよびＹｂｋから次のストライプ状画像ＹａｋｉとＹｂｋｉとを切り出して、画像作成領域に書き込む動作を繰り返す（ステップＳ２０３〜Ｓ２０５）。
【００４６】
ストライプ状画像ＹａｋｉおよびＹｂｋｉの切り出しおよび書き込む動作がＮ回繰り返されて、画像作成領域上に画像Ｙｋ’が完成すると、ステップＳ２０５で、ポインタの値が基準値Ｎに達したと判別され（ステップＳ２０５：Ｙｅｓ）、フローは、ステップＳ２０７に進む。
【００４７】
制御部２１は、Ｍ色成分の画像ＭａｋおよびＭｂｋについて、Ｙ色成分と同様の画像処理を行い、Ｍ色成分の画像Ｍｋ’を作成する（ステップＳ２０７）。Ｍ色成分の画像Ｍｋ’が完成すると、制御部２１は、Ｃ色成分の画像ＣａｋおよびＣｂｋについて、同様の画像処理を行い、Ｃ色成分の画像Ｃｋ’を作成する（ステップＳ２０８）。
【００４８】
次に、制御部２１は、ポインタｋの値が、画像枚数（撮影回数）である１２と等しいか否かを判別する（ステップＳ２０９）。１２と等しくない（まだ１２に達していない）と判別された場合（ステップＳ２０９：Ｎｏ）、ポインタｋに１を加え（ステップＳ２１０）、ステップＳ２０２にリターンし、ステップＳ２０２からＳ２０９までの処理を繰り返す。
【００４９】
ステップＳ２０２からＳ２０９までの処理が１２回繰り返されて、画像Ｙ１’〜Ｙ１２’、Ｍ１’〜Ｍ１２’、Ｃ１’〜Ｃ１２’の画像が完成すると、ステップＳ２０９で、ポインタの値が１２に達したと判断され（ステップＳ２０９：Ｙｅｓ）、画像作成処理は終了し、フローは、図４のステップＳ３の画像展開処理に進む。
【００５０】
ステップＳ２で作成されたＹ１’〜Ｙ１２’、Ｍ１’〜Ｍ１２’、Ｃ１’〜Ｃ１２’の各画像は、それぞれシール片３２の１枚分の画像である。一方、図３（ａ）に示すように、シート３１の上には、複数枚のシール片３２がマトリクス状に配置されている。そこで、この展開処理では、シート３１の構成に合わせて、印刷対象の画像をフレームメモリ２３上に展開する。
【００５１】
この画像展開処理の詳細を、図９を参照して説明する。制御部２１は、画像メモリ２２に格納されている画像Ｙ１’〜Ｙ１２’を読み出して、シール片３２の配置に合わせて、図９（ａ）に示すように、フレームメモリ２３上にＹ１’〜Ｙ１２’の画像データをマトリクス状に展開し、印刷対象の画像ＹＸを形成する。
【００５２】
次に、制御部２１は、画像メモリ２２から画像Ｍ１’〜Ｍ１２’を読み出し、図９（ｂ）に示すように、フレームメモリ２３上に画像Ｍ１’〜Ｍ１２’の画像データをマトリクス状に展開し、印刷対象の画像ＭＸを形成する。さらに、制御部２１は、画像メモリ２２から画像Ｃ１’〜Ｃ１２’を読み出し、図９（ｃ）に示すように、フレームメモリ２３上に画像Ｃ１’〜Ｃ１２’の画像データをマトリクス状に展開し、印刷対象の画像ＣＸを形成する。
【００５３】
以上の処理により、フレームメモリ２３への画像の展開が終了すると、フローは、図４のステップＳ４の印刷処理に進む。
【００５４】
制御部２１は、印刷開始信号を印刷部１３に供給すると共に、フレームメモリ２３に格納されている印刷対象の画像データＹＸを印刷部１３に供給する。印刷部１３は、印刷開始信号により起動され、制御部２１から供給された画像データＹＸをＹのインクを用いてシート３１に印刷する。
【００５５】
制御部２１は、画像ＹＸの印刷が終了すると、印刷色切換制御信号を印刷部１３に供給すると共にフレームメモリ２３に格納されている印刷対象の画像データＭＸを印刷部１３に供給する。印刷部１３は、印刷色切換制御信号に従って、印刷に使用するインクをＭに切り換え、制御部２１から供給された画像データＭＸをＭのインクを用い、すでに印刷されているシート３１上のＹＸの画像に重ねて印刷する。
【００５６】
制御部２１は、画像ＭＸの印刷が終了すると、印刷色切換制御信号を印刷部１３に供給すると共にフレームメモリ２３に格納されている印刷対象の画像データＣＸを印刷部１３に供給する。印刷部１３は、印刷色切換制御信号に従って、印刷に使用するインクをＣに切り換え、制御部２１から供給された画像データＣＸをＣのインクを用い、すでに印刷されているシート３１上のＹＸおよびＭＸの画像に重ねて印刷する。
【００５７】
制御部２１は、画像データＣＸの印刷が完了すると、印刷色切換制御信号を印刷部１３に供給する。印刷部１３は、印刷色切換制御信号に従って、透明な樹脂インクをシート３１の全面に印刷することにより、シールの表面全体に保護層を形成し、シールを完成する。
【００５８】
印刷部１３は、完成したシールシート（シート３１）を、排出部１４に供給する。また、それとほぼ同期して、レンチキュラーレンズ３３を排出部１４に供給する。排出部１４は、それを自己の開口から排出する。
【００５９】
完成したシールを有するシート３１とレンチキュラーレンズ３３とを排出すると、制御部２１は、表示器１７に、「Thank you for your playing !」等のメッセージを表示させ、以後は、シールの作成の仕方等を表示するデモンストレーション画面を表示器１７に繰り返し表示させ、コインが次に投入されるまで待機する。
【００６０】
完成したシールには、撮影部１１ａで取得した原画像と撮影部１１ｂで取得した原画像とから切り出したストライプ状画像が規則的に配列されて、カラー印刷されている。このシールの上にレンチキュラーレンズ３３を重ねて見ることにより、印刷された２つの画像が視覚上で合成され、立体的な画像を見ることが可能となる。
【００６１】
また、シート３１上には、図１０（ａ）に示すように、３０度ずつ異なる角度から取得した一周分の画像が、１２枚のシール片３２上に形成される。これらのシール片３２をシート３１から剥離し、間を置かずに並べて貼り付けることで、図１０（ｂ）に示すような、パノラマ画像を逆から見たようなオリジナル画像（以下、逆パノラマ画像）を作成することが可能となる。
【００６２】
尚、上記構成のシール作成装置１では、撮影部１１ａと撮影部１１ｂとがターンテーブル１９の真上に配置され、ミラー１６に映し出されたユーザ（対象物ＯＢＪ）の像を撮影している。ミラー１６の反射経路により光路長を長く確保できるため、本実施の形態に係るシール作成装置１では、対象物ＯＢＪを直接撮影する場合と比較して、シール作成装置１全体の大きさ（横幅）を小さく抑えることが可能となる。
【００６３】
（第２の実施の形態）
上記の第１の実施の形態では、作成した画像をシールとして排出したが、例えば、インターネット等のネットワーク上で閲覧できるような形で、画像を作成するような構成も可能である。このような機能を有するシール作成装置１の実施の形態を、以下説明する。
【００６４】
本実施の形態に係るシール作成装置１の構成は、前述の第１の実施の形態に係るシール作成装置１のものと、実質的に同一である。ただし、制御ボックス１２は、図１１に示すように、制御部２１、画像メモリ２２、フレームメモリ２３に加えて、通信部２４を備える。
【００６５】
通信部２４は、モデム等の通信制御装置から構成され、電話回線やインターネット等からなるネットワークに接続されている。そして、通信部２４は、制御部２１の制御に従って、ネットワークを介して所定のサーバＳにアクセスし、制御部２１から供給された画像データをサーバＳ内に蓄積させる。
【００６６】
本実施の形態に係るシール作成装置１の動作を、図１２を参照して説明する。
シール作成装置１の電源が投入されると、制御部２１は、表示器１７に、シールの作成方法、所定額のコインを投入すべきこと等のメッセージを含むデモンストレーション画面を繰り返し表示させる。ユーザは、このメッセージに従って、入力部１５のコイン投入口に所定額のコインを投入する。コイン受領部は、所定額のコインが投入されたことを判別し、始動制御信号を制御部２１に供給する。この始動制御信号に応答して、制御部２１は、図１２のフローチャートに示す処理動作を開始する。
【００６７】
まず、制御部２１は、撮影部１１ａおよび１１ｂを制御して被写体の像を所定回数撮影し、画像データを画像メモリ２２に格納する（ステップＳ２１）。この撮影動作は、上述の第１の実施の形態のステップＳ１（図４）のものと実質的に同一であるため、ここでの詳細な説明は省略する。
【００６８】
撮影が終了すると、フローは次のステップＳ２２に進む。制御部２１は、画像メモリ２２に格納された画像データを、通信部２４に供給する。尚、その際、制御部２１は各画像データに固有のＩＤ番号（日付や時刻、撮影場所などのデータを組み合わせたもの）を割り振る。通信部２４は、ＩＤ番号の割り振られた画像データを、サーバＳに送信する（ステップＳ２２）。
【００６９】
サーバＳは、画像データを受信すると、その画像データから、図１０（ｂ）に示すように、１２枚（１２回の撮影分）の画像がつながった、逆パノラマ画像を作成する（ステップＳ２３）。そして、作成した逆パノラマ画像を前述した画像のＩＤ番号と対応づけて、自己の記憶部の所定のフォルダに格納する。格納が完了すると、その旨を伝える画像作成完了信号を制御ボックス１２（の通信部２４）に向けて送信する。
【００７０】
制御部２１は、通信部２４を介して画像作成完了信号を受信すると、表示器１７に、ユーザに自分の携帯電話等のメールアドレスを入力するよう促す画面を表示させる（ステップＳ２４）。ユーザは、画面表示に従って、入力部１５を操作してメールアドレスを入力する。制御部２１は、メールアドレスが入力されたことを確認すると、そのメールアドレスを、通信部２４に供給し、通信部２４は、それをサーバＳに送信する。サーバＳは、メールアドレスを受信すると、そのメールアドレスに、先程作成した逆パノラマ画像の格納先のＵＲＬを、送信する（ステップＳ２５）。
【００７１】
送信が完了すると、サーバＳはその旨を伝える信号を制御ボックス１２に向けて発信し、制御部２１はその信号を受信して、表示器１７に、「Thank you for your playing !」等のメッセージを表示させ、以後は、シールの作成の仕方等を表示するデモンストレーション画面を表示器１７に繰り返し表示させ、コインが次に投入されるまで待機する。
【００７２】
上記構成によれば、画像データの格納されているアドレスにアクセスすることにより、サーバＳによって自動的に作成された逆パノラマ画像を、ネットワーク上で閲覧することが可能となる。また、それをプリントアウトして用いることにより、シールとして使用することも可能となる。
【００７３】
また、上記のステップＳ２２〜Ｓ２５までの処理の間に、第１の実施の形態で説明した図４におけるステップＳ２〜Ｓ４までの処理を同時に行わせてもよい。
【００７４】
尚、本発明は上記実施の形態で説明したものに限られず、様々な変形および応用が可能である。
【００７５】
本発明のシール作成装置１の機械的な構成は、上記実施の形態で説明したものに限られない。例えば、ミラー１６と表示器１７とを離れた位置に設けてユーザが両方を直接視認できる形にしたり、ターンテーブル１９を手動で制御できるような構成にすることも可能である。
【００７６】
上記実施の形態では、レンチキュラーレンズ３３はユーザが自分で取り付けるものとしたが、シール作成装置１自体にレンチキュラーレンズ３３をシート３１上に貼り付けさせるような構成にすることも可能である。また、レンチキュラーレンズ３３とシール片３２の位置とが合うように、双方に「＋」や「×」などの位置合わせのための記号を印刷しておいてもよい。
【００７７】
サーバＳ内に格納された画像を、ユーザがダウンロードして待ち受け画面等に設定できるような構成にすることも可能である。また、ユーザが画像をプリンタで印刷等したい場合に、印刷された画像をそのままシール化できるような専用の印刷シート等を、予めシール作成装置１に備えさせて、ユーザのコイン投入と引き換えに排出させるようなことも可能である。
【図面の簡単な説明】
【００７８】
【図１】シール作成装置の全体の構成を示す図である。
【図２】シール作成装置の制御ボックスの構成を示す図である。
【図３】シートとシール片の配置、および、シール片の画像上にレンチキュラーレンズを重ねた様子を示す図である。
【図４】シール作成処理の処理動作を説明するためのフローチャートである。
【図５】撮影処理の処理動作を説明するためのフローチャートである。
【図６】撮影処理の実際の動作の様子を模式的に表した図である。
【図７】画像作成処理の際の画像処理動作を説明するための図である。
【図８】画像作成処理の処理動作を説明するためのフローチャートである。
【図９】展開処理の処理動作を説明するための図である。
【図１０】完成したシールを例示した図である。
【図１１】第２の実施の形態に係る装置の制御ボックスの構成を示す図である。
【図１２】第２の実施の形態に係る装置の処理動作を説明するためのフローチャートである。
【符号の説明】
【００７９】
１・・・シール作成装置、１１ａ、１１ｂ・・・撮影部、１２・・・制御ボックス、１３・・・印刷部、１４・・・排出部、１５・・・入力部、１６・・・ミラー、１７・・・表示器、１８・・・ステージ、１９・・・ターンテーブル、２１・・・制御部、２２・・・画像メモリ、２３・・・フレームメモリ、２４・・・通信部、３１・・・シート、３２・・・シール片、３３・・・レンチキュラーレンズ、３４・・・印刷画像
【図１】
2005055693.tif 000003
【図２】
2005055693.tif 000004
【図３】
2005055693.tif 000005
【図４】
2005055693.tif 000006
【図５】
2005055693.tif 000007
【図６】
2005055693.tif 000008
【図７】
2005055693.tif 000009
【図８】
2005055693.tif 000010
【図９】
2005055693.tif 000011
【図１０】
2005055693.tif 000012
【図１１】
2005055693.tif 000013
【図１２】
2005055693.tif 000014